(57)【特許請求の範囲】
【請求項１】
複数のアンテナ素子を円形に等間隔に配置した等間隔円形アレーアンテナ（以下、ＵＣＡ）を、同心円状に配置した複数のＵＣＡからなるＭ−ＵＣＡを送信局と受信局に備え、送信局の各ＵＣＡでそれぞれ複数のＯＡＭモードの信号を生成して送信し、受信局の各ＵＣＡでそれぞれ複数のＯＡＭモードの信号を受信して分離し、ＵＣＡ数×ＯＡＭモード数のストリームを空間多重伝送するＯＡＭ多重通信システムにおいて、
前記送信局は、前記Ｍ−ＵＣＡの複数のＵＣＡからそれぞれ複数のＯＡＭモードで送信するＵＣＡ数×ＯＡＭモード数のストリームを生成する信号処理手段を備え、
前記受信局は、前記Ｍ−ＵＣＡの複数のＵＣＡでそれぞれ分離される複数のＯＡＭモードの信号を入力し、同一ＯＡＭモードの信号から前記ストリームごとに分離する信号処理手段を備え、
前記送信局の信号処理手段は、１ビット目の０，１に応じて後続ビットを送信する対となるＯＡＭモードの一方を選択する空間変調Ａを行い、後続ビットを選択された一方のＯＡＭモードで送信するストリームを生成する構成であり、
前記受信局の信号処理手段は、前記対となるＯＡＭモードの信号から前記複数のＵＣＡに対応するストリームを分離し、前記空間変調Ａに用いた前記１ビット目を付加して前記ストリームごとに復調する構成である
ことを特徴とするＯＡＭ多重通信システム。
【請求項２】
複数のアンテナ素子を円形に等間隔に配置した等間隔円形アレーアンテナ（以下、ＵＣＡ）を、同心円状に配置した複数のＵＣＡからなるＭ−ＵＣＡを送信局と受信局に備え、送信局の各ＵＣＡでそれぞれ複数のＯＡＭモードの信号を生成して送信し、受信局の各ＵＣＡでそれぞれ複数のＯＡＭモードの信号を受信して分離し、ＵＣＡ数×ＯＡＭモード数のストリームを空間多重伝送するＯＡＭ多重通信システムにおいて、
前記送信局は、前記Ｍ−ＵＣＡの複数のＵＣＡからそれぞれ複数のＯＡＭモードで送信するＵＣＡ数×ＯＡＭモード数のストリームを生成する信号処理手段を備え、
前記受信局は、前記Ｍ−ＵＣＡの複数のＵＣＡでそれぞれ分離される複数のＯＡＭモードの信号を入力し、同一ＯＡＭモードの信号から前記ストリームごとに分離する信号処理手段を備え、
前記送信局および前記受信局のＭ−ＵＣＡの各ＵＣＡは、２つの偏波の信号を互いに独立に送受信する構成であり、
前記送信局および前記受信局の信号処理手段は、前記２つの偏波に対応するストリームを生成および分離する構成であり、
前記送信局の信号処理手段は、１ビット目の０，１に応じて後続ビットを送信する前記２つの偏波を選択する空間変調Ｂを行い、後続ビットを選択された一方の偏波で送信するストリームを生成する構成であり、
前記受信局の信号処理手段は、ＯＡＭモードごとに前記２つの偏波の信号から前記複数のＵＣＡに対応するストリームを分離し、前記空間変調Ｂに用いた前記１ビット目を付加して前記ストリームごとに復調する構成である
ことを特徴とするＯＡＭ多重通信システム。
【請求項３】
複数のアンテナ素子を円形に等間隔に配置した等間隔円形アレーアンテナ（以下、ＵＣＡ）を、同心円状に配置した複数のＵＣＡからなるＭ−ＵＣＡを送信局と受信局に備え、送信局の各ＵＣＡでそれぞれ複数のＯＡＭモードの信号を生成して送信し、受信局の各ＵＣＡでそれぞれ複数のＯＡＭモードの信号を受信して分離し、ＵＣＡ数×ＯＡＭモード数のストリームを空間多重伝送するＯＡＭ多重通信システムにおいて、
前記送信局は、前記Ｍ−ＵＣＡの複数のＵＣＡからそれぞれ複数のＯＡＭモードで送信するＵＣＡ数×ＯＡＭモード数のストリームを生成する信号処理手段を備え、
前記受信局は、前記Ｍ−ＵＣＡの複数のＵＣＡでそれぞれ分離される複数のＯＡＭモードの信号を入力し、同一ＯＡＭモードの信号から前記ストリームごとに分離する信号処理手段を備え、
前記送信局および前記受信局のＭ−ＵＣＡの各ＵＣＡは、２つの偏波の信号を互いに独立に送受信する構成であり、
前記送信局および前記受信局の信号処理手段は、前記２つの偏波に対応するストリームを生成および分離する構成であり、
前記送信局の信号処理手段は、１，２ビット目の００，０１，１０，１１に応じて後続ビットを送信する対となるＯＡＭモードと前記２つの偏波を選択する空間変調Ｃを行い、後続ビットを選択された一方のＯＡＭモードと偏波で送信するストリームを生成する構成であり、
前記受信局の信号処理手段は、前記対となるＯＡＭモードおよび前記２つの偏波の信号から前記複数のＵＣＡに対応するストリームを分離し、前記空間変調Ｃに用いた前記１，２ビット目を付加して前記ストリームごとに復調する構成である
ことを特徴とするＯＡＭ多重通信システム。
【請求項４】
複数のアンテナ素子を円形に等間隔に配置した等間隔円形アレーアンテナ（以下、ＵＣＡ）を、同心円状に配置した複数のＵＣＡからなるＭ−ＵＣＡを送信局と受信局に備え、送信局の各ＵＣＡでそれぞれ複数のＯＡＭモードの信号を生成して送信し、受信局の各ＵＣＡでそれぞれ複数のＯＡＭモードの信号を受信して分離し、ＵＣＡ数×ＯＡＭモード数のストリームを空間多重伝送するＯＡＭ多重通信システムにおいて、
前記送信局は、前記Ｍ−ＵＣＡの複数のＵＣＡからそれぞれ複数のＯＡＭモードで送信するＵＣＡ数×ＯＡＭモード数のストリームを生成する信号処理手段を備え、
前記受信局は、前記Ｍ−ＵＣＡの複数のＵＣＡでそれぞれ分離される複数のＯＡＭモードの信号を入力し、同一ＯＡＭモードの信号から前記ストリームごとに分離する信号処理手段を備え、
前記送信局および前記受信局のＭ−ＵＣＡの各ＵＣＡは、２つの偏波の信号を互いに独立に送受信する構成であり、
前記送信局および前記受信局の信号処理手段は、前記２つの偏波に対応するストリームを生成および分離する構成であり、
前記送信局および前記受信局の信号処理手段は、前記送信局と前記受信局との距離の増加に応じて、１ビット目の０，１に応じて後続ビットを送信する対となるＯＡＭモードの一方を選択する空間変調Ａ、または１ビット目の０，１に応じて後続ビットを送信する前記２つの偏波を選択する空間変調Ｂ、または１，２ビット目の００，０１，１０，１１に応じて後続ビットを送信する対となるＯＡＭモードと前記２つの偏波を選択する空間変調Ｃを用いて、前記空間多重伝送するストリーム数を削減する構成である
ことを特徴とするＯＡＭ多重通信システム。
【請求項５】
複数のアンテナ素子を円形に等間隔に配置した等間隔円形アレーアンテナ（以下、ＵＣＡ）を、同心円状に配置した複数のＵＣＡからなるＭ−ＵＣＡを送信局と受信局に備え、送信局の各ＵＣＡでそれぞれ複数のＯＡＭモードの信号を生成して送信し、受信局の各ＵＣＡでそれぞれ複数のＯＡＭモードの信号を受信して分離し、ＵＣＡ数×ＯＡＭモード数のストリームを空間多重伝送するＯＡＭ多重通信方法において、
前記送信局は、前記Ｍ−ＵＣＡの複数のＵＣＡからそれぞれ複数のＯＡＭモードで送信するＵＣＡ数×ＯＡＭモード数のストリームを生成する信号処理ステップを有し、
前記受信局は、前記Ｍ−ＵＣＡの複数のＵＣＡでそれぞれ分離される複数のＯＡＭモードの信号を入力し、同一ＯＡＭモードの信号から前記ストリームごとに分離する信号処理ステップを有し、
前記送信局の信号処理ステップは、１ビット目の０，１に応じて後続ビットを送信する対となるＯＡＭモードの一方を選択する空間変調Ａを行い、後続ビットを選択された一方のＯＡＭモードで送信するストリームを生成し、
前記受信局の信号処理ステップは、前記対となるＯＡＭモードの信号から前記複数のＵＣＡに対応するストリームを分離し、前記空間変調Ａに用いた前記１ビット目を付加して前記ストリームごとに復調する
ことを特徴とするＯＡＭ多重通信方法。
【請求項６】
複数のアンテナ素子を円形に等間隔に配置した等間隔円形アレーアンテナ（以下、ＵＣＡ）を、同心円状に配置した複数のＵＣＡからなるＭ−ＵＣＡを送信局と受信局に備え、送信局の各ＵＣＡでそれぞれ複数のＯＡＭモードの信号を生成して送信し、受信局の各ＵＣＡでそれぞれ複数のＯＡＭモードの信号を受信して分離し、ＵＣＡ数×ＯＡＭモード数のストリームを空間多重伝送するＯＡＭ多重通信方法において、
前記送信局は、前記Ｍ−ＵＣＡの複数のＵＣＡからそれぞれ複数のＯＡＭモードで送信するＵＣＡ数×ＯＡＭモード数のストリームを生成する信号処理ステップを有し、
前記受信局は、前記Ｍ−ＵＣＡの複数のＵＣＡでそれぞれ分離される複数のＯＡＭモードの信号を入力し、同一ＯＡＭモードの信号から前記ストリームごとに分離する信号処理ステップを有し、
前記送信局および前記受信局のＭ−ＵＣＡの各ＵＣＡは、２つの偏波の信号を互いに独立に送受信し、
前記送信局および前記受信局の信号処理ステップは、前記２つの偏波に対応するストリームを生成および分離し、
前記送信局の信号処理ステップは、１ビット目の０，１に応じて後続ビットを送信する前記２つの偏波を選択する空間変調Ｂを行い、後続ビットを選択された一方の偏波で送信するストリームを生成し、
前記受信局の信号処理ステップは、ＯＡＭモードごとに前記２つの偏波の信号から前記複数のＵＣＡに対応するストリームを分離し、前記空間変調Ｂに用いた前記１ビット目を付加して前記ストリームごとに復調する
ことを特徴とするＯＡＭ多重通信方法。
【請求項７】
複数のアンテナ素子を円形に等間隔に配置した等間隔円形アレーアンテナ（以下、ＵＣＡ）を、同心円状に配置した複数のＵＣＡからなるＭ−ＵＣＡを送信局と受信局に備え、送信局の各ＵＣＡでそれぞれ複数のＯＡＭモードの信号を生成して送信し、受信局の各ＵＣＡでそれぞれ複数のＯＡＭモードの信号を受信して分離し、ＵＣＡ数×ＯＡＭモード数のストリームを空間多重伝送するＯＡＭ多重通信方法において、
前記送信局は、前記Ｍ−ＵＣＡの複数のＵＣＡからそれぞれ複数のＯＡＭモードで送信するＵＣＡ数×ＯＡＭモード数のストリームを生成する信号処理ステップを有し、
前記受信局は、前記Ｍ−ＵＣＡの複数のＵＣＡでそれぞれ分離される複数のＯＡＭモードの信号を入力し、同一ＯＡＭモードの信号から前記ストリームごとに分離する信号処理ステップを有し、
前記送信局および前記受信局のＭ−ＵＣＡの各ＵＣＡは、２つの偏波の信号を互いに独立に送受信し、
前記送信局および前記受信局の信号処理ステップは、前記２つの偏波に対応するストリームを生成および分離し、
前記送信局の信号処理ステップは、１，２ビット目の００，０１，１０，１１に応じて後続ビットを送信する対となるＯＡＭモードと前記２つの偏波を選択する空間変調Ｃを行い、後続ビットを選択された一方のＯＡＭモードと偏波で送信するストリームを生成し、 前記受信局の信号処理ステップは、前記対となるＯＡＭモードおよび前記２つの偏波の信号から前記複数のＵＣＡに対応するストリームを分離し、前記空間変調Ｃに用いた前記１，２ビット目を付加して前記ストリームごとに復調する
ことを特徴とするＯＡＭ多重通信方法。
【請求項８】
複数のアンテナ素子を円形に等間隔に配置した等間隔円形アレーアンテナ（以下、ＵＣＡ）を、同心円状に配置した複数のＵＣＡからなるＭ−ＵＣＡを送信局と受信局に備え、送信局の各ＵＣＡでそれぞれ複数のＯＡＭモードの信号を生成して送信し、受信局の各ＵＣＡでそれぞれ複数のＯＡＭモードの信号を受信して分離し、ＵＣＡ数×ＯＡＭモード数のストリームを空間多重伝送するＯＡＭ多重通信方法において、
前記送信局は、前記Ｍ−ＵＣＡの複数のＵＣＡからそれぞれ複数のＯＡＭモードで送信するＵＣＡ数×ＯＡＭモード数のストリームを生成する信号処理ステップを有し、
前記受信局は、前記Ｍ−ＵＣＡの複数のＵＣＡでそれぞれ分離される複数のＯＡＭモードの信号を入力し、同一ＯＡＭモードの信号から前記ストリームごとに分離する信号処理ステップを有し、
前記送信局および前記受信局のＭ−ＵＣＡの各ＵＣＡは、２つの偏波の信号を互いに独立に送受信し、
前記送信局および前記受信局の信号処理ステップは、前記２つの偏波に対応するストリームを生成および分離し、
前記送信局および前記受信局の信号処理ステップは、前記送信局と前記受信局との距離の増加に応じて、１ビット目の０，１に応じて後続ビットを送信する対となるＯＡＭモードの一方を選択する空間変調Ａ、または１ビット目の０，１に応じて後続ビットを送信する前記２つの偏波を選択する空間変調Ｂ、または１，２ビット目の００，０１，１０，１１に応じて後続ビットを送信する対となるＯＡＭモードと前記２つの偏波を選択する空間変調Ｃを用いて、前記空間多重伝送するストリーム数を削減する
ことを特徴とするＯＡＭ多重通信方法。
【発明の詳細な説明】
【技術分野】
【０００１】
本発明は、電磁波の軌道角運動量（Orbital Angular Momentum：ＯＡＭ）を用いて無線信号を空間多重伝送するＯＡＭ多重通信システムおよびＯＡＭ多重通信方法に関する。
【背景技術】
【０００２】
近年、伝送容量向上のため、ＯＡＭを用いた無線信号の空間多重伝送技術が報告されている（非特許文献１）。ＯＡＭをもつ電磁波は、伝搬軸を中心に伝搬方向にそって等位相面が螺旋状に分布する。異なるＯＡＭモードをもち、同一方向に伝搬する電磁波は、回転軸方向において空間位相分布が直交するため、異なる信号系列で変調された各ＯＡＭモードの信号を受信局において分離することにより、信号を多重伝送することが可能である。【０００３】
このＯＡＭ多重技術を用いた無線通信システムでは、複数のアンテナ素子を等間隔に円形配置した等間隔円形アレーアンテナ（以下、ＵＣＡ（Uniform Circular Array）と称する。）を用い、複数のＯＡＭモードを生成・合成して送信することにより、異なる信号系列の空間多重伝送が行われる（非特許文献２）。【０００４】
図８は、ＯＡＭモードの信号を生成するためのＵＣＡの位相設定例を示す。
図８において、送信側におけるＯＡＭモード０，１，２，３，…の信号は、ＵＣＡの各アンテナ素子（●で示す）の位相差により生成される。すなわち、ＯＡＭモードｎの信号は、ＵＣＡの位相がｎ回転（ｎ×360 度）になるように各アンテナ素子の位相を設定して生成する。例えば、８個のアンテナ素子で構成されるＵＣＡは、ＯＡＭモード２の信号を生成する場合に、図８(3) に示すように位相が２回転するように、各アンテナ素子に反時計回りに90度の位相差を設定する。なお、ＯＡＭモードｎの信号に対して位相の回転方向を逆にした信号をＯＡＭモード−ｎとする。例えば、正のＯＡＭモードの信号の位相の回転方向を反時計回りとし、負のＯＡＭモードの信号の位相の回転方向を時計回りとする。【０００５】
異なる信号系列を異なるＯＡＭモードの信号として生成し、生成した信号を同時に送信することで、空間多重による無線通信ができる。送信側では、各ＯＡＭモードで伝送する信号をあらかじめ生成・合成し、単一ＵＣＡで各ＯＡＭモードの合成信号を送信してもよいし、複数のＵＣＡを用いて、ＯＡＭモード毎に異なるＵＣＡで各ＯＡＭモードの信号を送信してもよい。【０００６】
図９は、ＯＡＭ多重信号の位相分布と信号強度分布の例を示す。
図９(1),(2) において、送信側から伝搬方向に直交する端面（以下、伝搬直交平面と称する。）で見た、ＯＡＭモード１とＯＡＭモード２の信号の位相分布を矢印で表す。矢印の始めは０度であり、位相が線形に変化して矢印の終わりは 360度である。すなわち、ＯＡＭモードｎの信号は、伝搬直交平面において、位相がｎ回転（ｎ×360 度）しながら伝搬する。【０００７】
各ＯＡＭモードの信号は、ＯＡＭモード毎に信号強度分布と信号強度が最大になる位置が異なる。具体的には、ＯＡＭモードが高次になるほど、信号強度が最大になる位置が伝搬軸から遠くなる（非特許文献２）。ここで、ＯＡＭモードの値が大きい方を高次モードと称する。例えば、ＯＡＭモード３の信号は、ＯＡＭモード０、ＯＡＭモード１、ＯＡＭモード２の信号より、高次モードである。【０００８】
図９(3) は、ＯＡＭモードごとに信号強度が最大になる位置を円環で示すが、ＯＡＭモードが高次になるほど信号強度が最大になる位置が中心軸から遠くなり、かつ伝搬距離に応じてＯＡＭモード多重信号のビーム径が広がり、ＯＡＭモードごとに信号強度が最大になる位置を示す円環が大きくなる。【０００９】
図１０は、ＯＡＭ多重信号を分離するためのＵＣＡの位相設定例を示す。
図１０において、受信側では、ＵＣＡの各アンテナ素子の位相を、送信側のアンテナ素子の位相と逆方向になるように設定し、各ＯＡＭモードの信号を分離する。すなわち、各アンテナ素子の位相は、図８の場合と逆方向に回転するように設定し、例えばＯＡＭモード２の信号を分離する場合は、位相が２回転するように、各アンテナ素子に時計回りに90度の位相差を設定する。【００１０】
受信側の分離処理は、単一ＵＣＡを用いて各ＯＡＭモードを一括受信してから分離することもできるし、複数のＵＣＡを用いて、ＵＣＡ毎に異なるＯＡＭモードの信号を分離して受信することも可能である。
【先行技術文献】
【非特許文献】
【００１１】
【非特許文献１】J. Wang et al., “Terabit free-space data transmission employing orbital angular momentum multiplexing, ”Nature Photonics, Vol.6, pp.488-496, July 2012.
【非特許文献２】Y. Yan et al.,“High-capacity millimeter-wave communications with orbital angular momentum multiplexing,”Nature Commun., vol.5, p.4876, Sep. 2014.
【発明の概要】
【発明が解決しようとする課題】
【００１２】
（課題１）
平面アレーアンテナ等を用いる多重伝送技術（以下、従来ＭＩＭＯ（multi input multi output）技術と称する。) の場合、多重伝送するすべての伝送がＯＡＭモード０に相当する特性を持つ。よって、従来ＭＩＭＯ技術は、ＯＡＭ多重伝送技術の課題であった高次モードになるほど受信電力が弱くなる課題はないが、すべての多重信号の分離処理を行うために、デジタル信号処理量が多重数の増加に伴い増える課題１がある。この分離処理を、従来のＺＦ（zero forcing）やＭＭＳＥ(minimum mean square error) 等化処理により行う場合、必要となる信号処理量は多重数の３乗に比例して増える。そのため、送受信局の機能制限により使える信号処理量に制限がある場合、例えば１秒当たりに計算可能な計算の数等の制限がある場合には、多重数の制限が生じることになる。【００１３】
（課題２）
ＯＡＭ多重伝送技術は、各ＯＡＭモードが直交であるため、各ＯＡＭモードの信号分離に要するデジタル信号処理量は小さい利点があるものの、ＯＡＭモードに応じて受信電力のバラツキがあり、特に高次ＯＡＭモードの受信電力が低下する課題２がある。【００１４】
（課題３）
ＯＡＭ多重伝送技術および従来ＭＩＭＯ技術では、伝送距離の増加に伴い受信電力が低下する。受信電力の低下時に、受信側の所望の受信電力値を満たすために、送信する多重の数を減らす必要が生じる。例えば、伝送距離が０ｍから40ｍまでは、多重数を12で所望の受信電力を満たしたとしても、伝送距離が40ｍから70ｍまでになると、多重数を８に減らす必要が生じ、さらに伝送距離が70ｍから 100ｍになると、多重数を４に減らす必要が生じるような場合がある。このように、伝送距離の増加による多重数の低下により、伝送容量が減少する課題３がある。【００１５】
（課題４）
一方、複数のＵＣＡを同心で配置したＭ(Multi) −ＵＣＡを用い、極座標系における円周方向の次元で直交性を有するＯＡＭモードに加えて、ＯＡＭモード毎に直径方向の次元で１つ以上の固有モードを算出・運用する方法も検討されている。【００１６】
本発明は、Ｍ−ＵＣＡを利用して空間多重伝送を行う無線通信システムにおいて、信号分離に要する信号処理量を最小限に抑えつつ、多重数を増加することにより伝送容量を向上させることができ、かつ伝送距離の増加に伴う多重数の低下および伝送容量の低下を最小化することができるＯＡＭ多重通信システムおよびＯＡＭ多重通信方法を提供することを目的とする。
【課題を解決するための手段】
【００２０】
第１の発明は、複数のアンテナ素子を円形に等間隔に配置したＵＣＡを、同心円状に配置した複数のＵＣＡからなるＭ−ＵＣＡを送信局と受信局に備え、送信局の各ＵＣＡでそれぞれ複数のＯＡＭモードの信号を生成して送信し、受信局の各ＵＣＡでそれぞれ複数のＯＡＭモードの信号を受信して分離し、ＵＣＡ数×ＯＡＭモード数のストリームを空間多重伝送するＯＡＭ多重通信システムにおいて、送信局は、Ｍ−ＵＣＡの複数のＵＣＡからそれぞれ複数のＯＡＭモードで送信するＵＣＡ数×ＯＡＭモード数のストリームを生成する信号処理手段を備え、受信局は、Ｍ−ＵＣＡの複数のＵＣＡでそれぞれ分離される複数のＯＡＭモードの信号を入力し、同一ＯＡＭモードの信号からストリームごとに分離する信号処理手段を備え、送信局の信号処理手段は、１ビット目の０，１に応じて後続ビットを送信する対となるＯＡＭモードの一方を選択する空間変調Ａを行い、後続ビットを選択された一方のＯＡＭモードで送信するストリームを生成する構成であり、受信局の信号処理手段は、対となるＯＡＭモードの信号から複数のＵＣＡに対応するストリームを分離し、空間変調Ａに用いた１ビット目を付加してストリームごとに復調する構成である。
【００２１】
第２の発明は、複数のアンテナ素子を円形に等間隔に配置したＵＣＡを、同心円状に配置した複数のＵＣＡからなるＭ−ＵＣＡを送信局と受信局に備え、送信局の各ＵＣＡでそれぞれ複数のＯＡＭモードの信号を生成して送信し、受信局の各ＵＣＡでそれぞれ複数のＯＡＭモードの信号を受信して分離し、ＵＣＡ数×ＯＡＭモード数のストリームを空間多重伝送するＯＡＭ多重通信システムにおいて、送信局は、Ｍ−ＵＣＡの複数のＵＣＡからそれぞれ複数のＯＡＭモードで送信するＵＣＡ数×ＯＡＭモード数のストリームを生成する信号処理手段を備え、受信局は、Ｍ−ＵＣＡの複数のＵＣＡでそれぞれ分離される複数のＯＡＭモードの信号を入力し、同一ＯＡＭモードの信号からストリームごとに分離する信号処理手段を備え、送信局および受信局のＭ−ＵＣＡの各ＵＣＡは、２つの偏波の信号を互いに独立に送受信する構成であり、送信局および受信局の信号処理手段は、２つの偏波に対応するストリームを生成および分離する構成であり、送信局の信号処理手段は、１ビット目の０，１に応じて後続ビットを送信する２つの偏波を選択する空間変調Ｂを行い、後続ビットを選択された一方の偏波で送信するストリームを生成する構成であり、受信局の信号処理手段は、ＯＡＭモードごとに２つの偏波の信号から複数のＵＣＡに対応するストリームを分離し、空間変調Ｂに用いた１ビット目を付加してストリームごとに復調する構成である。
【００２２】
第３の発明は、複数のアンテナ素子を円形に等間隔に配置したＵＣＡを、同心円状に配置した複数のＵＣＡからなるＭ−ＵＣＡを送信局と受信局に備え、送信局の各ＵＣＡでそれぞれ複数のＯＡＭモードの信号を生成して送信し、受信局の各ＵＣＡでそれぞれ複数のＯＡＭモードの信号を受信して分離し、ＵＣＡ数×ＯＡＭモード数のストリームを空間多重伝送するＯＡＭ多重通信システムにおいて、送信局は、Ｍ−ＵＣＡの複数のＵＣＡからそれぞれ複数のＯＡＭモードで送信するＵＣＡ数×ＯＡＭモード数のストリームを生成する信号処理手段を備え、受信局は、Ｍ−ＵＣＡの複数のＵＣＡでそれぞれ分離される複数のＯＡＭモードの信号を入力し、同一ＯＡＭモードの信号からストリームごとに分離する信号処理手段を備え、送信局および受信局のＭ−ＵＣＡの各ＵＣＡは、２つの偏波の信号を互いに独立に送受信する構成であり、送信局および受信局の信号処理手段は、２つの偏波に対応するストリームを生成および分離する構成であり、送信局の信号処理手段は、１，２ビット目の００，０１，１０，１１に応じて後続ビットを送信する対となるＯＡＭモードと２つの偏波を選択する空間変調Ｃを行い、後続ビットを選択された一方のＯＡＭモードと偏波で送信するストリームを生成する構成であり、受信局の信号処理手段は、対となるＯＡＭモードおよび２つの偏波の信号から複数のＵＣＡに対応するストリームを分離し、空間変調Ｃに用いた１，２ビット目を付加してストリームごとに復調する構成である。
【００２３】
第４の発明は、複数のアンテナ素子を円形に等間隔に配置したＵＣＡを、同心円状に配置した複数のＵＣＡからなるＭ−ＵＣＡを送信局と受信局に備え、送信局の各ＵＣＡでそれぞれ複数のＯＡＭモードの信号を生成して送信し、受信局の各ＵＣＡでそれぞれ複数のＯＡＭモードの信号を受信して分離し、ＵＣＡ数×ＯＡＭモード数のストリームを空間多重伝送するＯＡＭ多重通信システムにおいて、送信局は、Ｍ−ＵＣＡの複数のＵＣＡからそれぞれ複数のＯＡＭモードで送信するＵＣＡ数×ＯＡＭモード数のストリームを生成する信号処理手段を備え、受信局は、Ｍ−ＵＣＡの複数のＵＣＡでそれぞれ分離される複数のＯＡＭモードの信号を入力し、同一ＯＡＭモードの信号からストリームごとに分離する信号処理手段を備え、送信局および受信局のＭ−ＵＣＡの各ＵＣＡは、２つの偏波の信号を互いに独立に送受信する構成であり、送信局および受信局の信号処理手段は、２つの偏波に対応するストリームを生成および分離する構成であり、送信局および受信局の信号処理手段は、送信局と受信局との距離の増加に応じて、１ビット目の０，１に応じて後続ビットを送信する対となるＯＡＭモードの一方を選択する空間変調Ａ、または１ビット目の０，１に応じて後続ビットを送信する２つの偏波を選択する空間変調Ｂ、または１，２ビット目の００，０１，１０，１１に応じて後続ビットを送信する対となるＯＡＭモードと２つの偏波を選択する空間変調Ｃを用いて、空間多重伝送するストリーム数を削減する構成である。
【００２４】
第５の発明は、複数のアンテナ素子を円形に等間隔に配置したＵＣＡを、同心円状に配置した複数のＵＣＡからなるＭ−ＵＣＡを送信局と受信局に備え、送信局の各ＵＣＡでそれぞれ複数のＯＡＭモードの信号を生成して送信し、受信局の各ＵＣＡでそれぞれ複数のＯＡＭモードの信号を受信して分離し、ＵＣＡ数×ＯＡＭモード数のストリームを空間多重伝送するＯＡＭ多重通信方法において、送信局は、Ｍ−ＵＣＡの複数のＵＣＡからそれぞれ複数のＯＡＭモードで送信するＵＣＡ数×ＯＡＭモード数のストリームを生成する信号処理ステップを有し、受信局は、Ｍ−ＵＣＡの複数のＵＣＡでそれぞれ分離される複数のＯＡＭモードの信号を入力し、同一ＯＡＭモードの信号からストリームごとに分離する信号処理ステップを有し、送信局の信号処理ステップは、１ビット目の０，１に応じて後続ビットを送信する対となるＯＡＭモードの一方を選択する空間変調Ａを行い、後続ビットを選択された一方のＯＡＭモードで送信するストリームを生成し、受信局の信号処理ステップは、対となるＯＡＭモードの信号から複数のＵＣＡに対応するストリームを分離し、空間変調Ａに用いた１ビット目を付加してストリームごとに復調する。
第６の発明は、複数のアンテナ素子を円形に等間隔に配置したＵＣＡを、同心円状に配置した複数のＵＣＡからなるＭ−ＵＣＡを送信局と受信局に備え、送信局の各ＵＣＡでそれぞれ複数のＯＡＭモードの信号を生成して送信し、受信局の各ＵＣＡでそれぞれ複数のＯＡＭモードの信号を受信して分離し、ＵＣＡ数×ＯＡＭモード数のストリームを空間多重伝送するＯＡＭ多重通信方法において、送信局は、Ｍ−ＵＣＡの複数のＵＣＡからそれぞれ複数のＯＡＭモードで送信するＵＣＡ数×ＯＡＭモード数のストリームを生成する信号処理ステップを有し、受信局は、Ｍ−ＵＣＡの複数のＵＣＡでそれぞれ分離される複数のＯＡＭモードの信号を入力し、同一ＯＡＭモードの信号からストリームごとに分離する信号処理ステップを有し、送信局および受信局のＭ−ＵＣＡの各ＵＣＡは、２つの偏波の信号を互いに独立に送受信し、送信局および受信局の信号処理ステップは、２つの偏波に対応するストリームを生成および分離し、送信局の信号処理ステップは、１ビット目の０，１に応じて後続ビットを送信する２つの偏波を選択する空間変調Ｂを行い、後続ビットを選択された一方の偏波で送信するストリームを生成し、受信局の信号処理ステップは、ＯＡＭモードごとに２つの偏波の信号から複数のＵＣＡに対応するストリームを分離し、空間変調Ｂに用いた１ビット目を付加してストリームごとに復調する。
第７の発明は、複数のアンテナ素子を円形に等間隔に配置したＵＣＡを、同心円状に配置した複数のＵＣＡからなるＭ−ＵＣＡを送信局と受信局に備え、送信局の各ＵＣＡでそれぞれ複数のＯＡＭモードの信号を生成して送信し、受信局の各ＵＣＡでそれぞれ複数のＯＡＭモードの信号を受信して分離し、ＵＣＡ数×ＯＡＭモード数のストリームを空間多重伝送するＯＡＭ多重通信方法において、送信局は、Ｍ−ＵＣＡの複数のＵＣＡからそれぞれ複数のＯＡＭモードで送信するＵＣＡ数×ＯＡＭモード数のストリームを生成する信号処理ステップを有し、受信局は、Ｍ−ＵＣＡの複数のＵＣＡでそれぞれ分離される複数のＯＡＭモードの信号を入力し、同一ＯＡＭモードの信号からストリームごとに分離する信号処理ステップを有し、送信局および受信局のＭ−ＵＣＡの各ＵＣＡは、２つの偏波の信号を互いに独立に送受信し、送信局および受信局の信号処理ステップは、２つの偏波に対応するストリームを生成および分離し、送信局の信号処理ステップは、１，２ビット目の００，０１，１０，１１に応じて後続ビットを送信する対となるＯＡＭモードと２つの偏波を選択する空間変調Ｃを行い、後続ビットを選択された一方のＯＡＭモードと偏波で送信するストリームを生成し、受信局の信号処理ステップは、対となるＯＡＭモードおよび２つの偏波の信号から複数のＵＣＡに対応するストリームを分離し、空間変調Ｃに用いた１，２ビット目を付加してストリームごとに復調する。
第８の発明は、複数のアンテナ素子を円形に等間隔に配置したＵＣＡを、同心円状に配置した複数のＵＣＡからなるＭ−ＵＣＡを送信局と受信局に備え、送信局の各ＵＣＡでそれぞれ複数のＯＡＭモードの信号を生成して送信し、受信局の各ＵＣＡでそれぞれ複数のＯＡＭモードの信号を受信して分離し、ＵＣＡ数×ＯＡＭモード数のストリームを空間多重伝送するＯＡＭ多重通信方法において、送信局は、Ｍ−ＵＣＡの複数のＵＣＡからそれぞれ複数のＯＡＭモードで送信するＵＣＡ数×ＯＡＭモード数のストリームを生成する信号処理ステップを有し、受信局は、Ｍ−ＵＣＡの複数のＵＣＡでそれぞれ分離される複数のＯＡＭモードの信号を入力し、同一ＯＡＭモードの信号からストリームごとに分離する信号処理ステップを有し、送信局および受信局のＭ−ＵＣＡの各ＵＣＡは、２つの偏波の信号を互いに独立に送受信し、送信局および受信局の信号処理ステップは、２つの偏波に対応するストリームを生成および分離し、送信局および受信局の信号処理ステップは、送信局と受信局との距離の増加に応じて、１ビット目の０，１に応じて後続ビットを送信する対となるＯＡＭモードの一方を選択する空間変調Ａ、または１ビット目の０，１に応じて後続ビットを送信する２つの偏波を選択する空間変調Ｂ、または１，２ビット目の００，０１，１０，１１に応じて後続ビットを送信する対となるＯＡＭモードと２つの偏波を選択する空間変調Ｃを用いて、空間多重伝送するストリーム数を削減する。
【発明の効果】
【００２６】
本発明は、各ＵＣＡで受信する同一ＯＡＭモードの信号分離に要する信号処理量を最小限に抑えるとともに、多重数（ストリーム数）を増加することにより伝送容量を向上させ、さらに伝送距離の増加に応じた多重数の削減による伝送容量の低下を空間変調により最小化することができる。
【図面の簡単な説明】
【００２７】
【図１】本発明のＯＡＭ多重通信システムのＭ−ＵＣＡの構成例を示す図である。
【図２】送信局のＭ−ＵＣＡと受信局のＭ−ＵＣＡの関係を示す図である。
【図３】本発明のＯＡＭ多重通信システムの実施例構成を示す図である。
【図４】12ストリームによる空間多重伝送例を示す図である。
【図５】８ストリームによる空間多重伝送例を示す図である。
【図６】６ストリームによる空間多重伝送例を示す図である。
【図７】４ストリームによる空間多重伝送例を示す図である。
【図８】ＯＡＭモードの信号を生成するためのＵＣＡの位相設定例を示す図である。
【図９】ＯＡＭ多重信号の位相分布と信号強度分布の例を示す図である。
【図１０】ＯＡＭ多重信号を分離するためのＵＣＡの位相設定例を示す図である。
【発明を実施するための形態】
【００２８】
図１は、本発明のＯＡＭ多重通信システムのＭ−ＵＣＡの構成例を示す。
図１において、Ｍ−ＵＣＡは、同心円状に複数のＵＣＡを配置した構成である。ここでは、互いに半径が異なる４つのＵＣＡを配置した構成を示し、内側のＵＣＡから順番に、ＵＣＡ１，ＵＣＡ２，ＵＣＡ３，ＵＣＡ４とする。各ＵＣＡは16素子のアンテナ素子（図中、●で示す）を備える例を示すが、各ＵＣＡのアンテナ素子数は必ずしも同数である必要はない。
【００２９】
Ｍ−ＵＣＡを構成するｍ個のＵＣＡは、それぞれｎ個のＯＡＭモードの信号を生成し、それらを同時に送信することにより、ｍ×ｎの時系列データ（ストリーム）を空間多重して伝送することができる。さらに、異なる２つの偏波（Ｖ偏波、Ｈ偏波）を用いることにより２倍の伝送容量を実現することができる。この場合、Ｍ−ＵＣＡを構成するアンテナ素子は、Ｖ偏波とＨ偏波を送受信する構成であってもよい。また、Ｖ偏波用とＨ偏波用のアンテナ素子を並列に備える構成であってもよい。
【００３０】
なお、以下の説明を簡単にするために、送信局および受信局のＭ−ＵＣＡのＵＣＡ数および各ＵＣＡのアンテナ素子数をそれぞれ同数とするが、異なる場合はアンテナ素子数が少ない方にＯＡＭモードの数が制限され、ＵＣＡ数が少ない方にストリーム数が制限される。
【００３１】
例えば、送信側のＭ−ＵＣＡが４個のＵＣＡ１，ＵＣＡ２，ＵＣＡ３，ＵＣＡ４で構成され、各ＵＣＡがＯＡＭモード０，１，−１の信号を生成する場合、図２(1) に示すように12個の異なるストリームを同時送信することができる。ＵＣＡ１〜ＵＣＡ４がＯＡＭモード０で送信する信号をストリーム１〜４とし、ＯＡＭモード１で送信する信号をストリーム５〜８とし、ＯＡＭモード−１で送信する信号をストリーム９〜12とする。
【００３２】
受信側のＭ−ＵＣＡも４個のＵＣＡ１〜ＵＣＡ４で構成され、各ＵＣＡがＯＡＭモード０，１，−１の信号を分離できる構成とする。ただし、各ＵＣＡは異なるＯＡＭモードの信号は分離できるが、同一のＯＡＭモードの信号は分離できない。そのため、図２(2) に示すように、例えばＵＣＡ１でＯＡＭモード０を分離した信号には、送信側のＵＣＡ１〜ＵＣＡ４からＯＡＭモード０で送信されたストリーム１，２，３，４が混在して受信される。したがって、ＵＣＡ１で分離したＯＡＭモード０のストリーム１，２，３，４が混在した信号からストリームごとに分離する必要がある。ＵＣＡ２〜ＵＣＡ４でも同様であり、ＯＡＭモード１，−１でも同様である。
【００３３】
このように、本発明のＯＡＭ多重通信システムの受信局では、まずＵＣＡ１〜ＵＣＡ４ごとにＯＡＭモード０，１，−１を分離するＯＡＭモード分離処理部と、同一ＯＡＭモードの各ストリームを分離する信号処理部が用いられる。
【００３４】
信号処理部における同一ＯＡＭモードの各ストリームの分離処理は、送信側から送信される既知信号などを用いてチャネル推定を行い、そのチャネル推定結果を用いた等化処理により可能である。
【００３５】
また、送信側でチャネル情報を用いて各ＯＡＭモードの信号に前処理（プリコーディング）を行うことにより固有ビームを生成すれば、受信側で等化処理を行わなくても各ストリームの分離処理が可能である。
【００３６】
ここで、チャネル情報は、受信側から別の送受信系統によりフィードバックして収集してもよい。また、見通し環境の場合は、ＯＡＭビームの伝播特性の理論式からチャネル情報計算し、その計算結果を用いてもよい。例えば、見通しの場合、ＧＰＳの情報などの別の手段から取得する送受信アンテナ間の距離情報を用いて、送受信Ｍ−ＵＣＡの各アンテナ素子間のチャネル情報を計算し、その情報から各ＯＡＭモードのチャネル情報を計算することができる。具体的には、送受信アンテナの各素子の距離と使う周波数から計算するビームの波長の情報から、伝播減衰と位相の情報の取得が可能である。
【００３７】
図３は、本発明のＯＡＭ多重通信システムの実施例構成を示す。ここでは、図２に示すストリーム１〜12の信号を送受信する構成例を示す。
【００３８】
図３において、送信局は、ＵＣＡ１〜ＵＣＡ４を備える。信号処理部１１は、送信信号系列を入力し、ＵＣＡ１〜ＵＣＡ４からそれぞれＯＡＭモード０，１，−１で送信するストリーム１〜12の信号を生成する。ＯＡＭモード生成処理部１２−１は、ＵＣＡ１からＯＡＭモード０，１，−１で送信するストリーム１，５，９の信号を入力する。ＯＡＭモード生成処理部１２−２は、ＵＣＡ２からＯＡＭモード０，１，−１で送信するストリーム２，６，10の信号を入力する。ＯＡＭモード生成処理部１２−３は、ＵＣＡ３からＯＡＭモード０，１，−１で送信するストリーム３，７，11の信号を入力する。ＯＡＭモード生成処理部１２−４は、ＵＣＡ４からＯＡＭモード０，１，−１で送信するストリーム４，８，12の信号を入力する。ＯＡＭモード生成処理部１２−１〜１２−４は、それぞれ入力した信号をＯＡＭモード０，１，−１の信号として送信されるように位相調整して各ＵＣＡのアンテナ素子に入力する。また、２つの偏波を用いる場合は、Ｖ偏波とＨ偏波でそれぞれ送信する信号を入出力する構成となる。
【００３９】
受信局は、ＵＣＡ１〜ＵＣＡ４を備える。ＯＡＭモード分離処理部２１−１〜２１−４は、ＵＣＡ１〜ＵＣＡ４で受信した信号からそれぞれＯＡＭモード０，１，−１の信号を分離する。ＯＡＭモード分離処理部２１−１〜２１−４でそれぞれ分離したＯＡＭモード０の信号にはストリーム１，２，３，４が混在し、ＯＡＭモード１の信号にはストリーム５，６，７，８が混在し、ＯＡＭモード−１の信号にはストリーム９，10，11，12が混在している。信号処理部２２は、ＯＡＭモード分離処理部２１−１〜２１−４で分離されたＯＡＭモード０，１，−１の信号を入力し、ＯＡＭモード０の信号からストリーム１，２，３，４を分離し、ＯＡＭモード１の信号からストリーム５，６，７，８を分離し、ＯＡＭモード−１の信号からストリーム９，10，11，12を分離し、各ストリームの信号を復調して受信信号系列を出力する。また、２つの偏波を用いる場合は、Ｖ偏波とＨ偏波でそれぞれ受信する信号を入出力する構成となる。
【００４０】
以下、Ｍ−ＵＣＡを構成する４個のＵＣＡ１〜ＵＣＡ４と、ＯＡＭモード０，１，−１と、さらに偏波を組み合わせ、12ビットの信号（０１１００１１０１１０１）を空間多重伝送する方法について説明する。変調方式は１シンボル・１ビットのＢＰＳＫとするが、ＱＰＳＫの場合は１シンボル・２ビット、16ＱＡＭの場合は１シンボル・４ビットの変調が可能になるが、基本的な動作は同様である。
【００４１】
（12ストリームによる空間多重伝送例）
図４は、12ストリームによる空間多重伝送例を示す。
ここでは、ＵＣＡ１〜ＵＣＡ４と、ＯＡＭモード０，１，−１を用いる。
【００４２】
図４において、送信局の信号処理部１１は、最初の４ビットの信号（０１１０）をＵＣＡ１〜ＵＣＡ４からＯＡＭモード０で送信するストリーム１〜４として生成し、次の４ビットの信号（０１１０）をＵＣＡ１〜ＵＣＡ４からＯＡＭモード１で送信するストリーム５〜８として生成し、次の４ビットの信号（１１０１）をＵＣＡ１〜ＵＣＡ４からＯＡＭモード−１で送信するストリーム９〜12として生成する。
【００４３】
受信局の信号処理部２２は、ＯＡＭモード分離処理部２１−１〜２１−４でそれぞれ分離されたＯＡＭモード０の信号として、ストリーム１〜４の信号（０１１０）を混在して入力する。同時にＯＡＭモード１の信号としてストリーム５〜８の信号（０１１０）を混在して入力し、ＯＡＭモード−１の信号としてストリーム９〜12の信号（１１０１）を混在して入力する。そして、ＯＡＭモード０で受信したストリーム１〜４の混在した信号（０１１０）から、ストリームごとに信号０，１，１，０を分離して復調する。ＯＡＭモード１，−１についても同様である。
【００４４】
以上により、ＵＣＡ１〜ＵＣＡ４と、ＯＡＭモード０，１，−１により、ストリーム１〜12で空間多重伝送された信号（０１１００１１０１１０１）を分離して復調することができる。
【００４５】
（８ストリームによる空間多重伝送例）
図５は、８ストリームによる空間多重伝送例を示す。
ここでは、ＵＣＡ１〜ＵＣＡ４と、ＯＡＭモード０，１，−１を用いる。さらに、２ビットを１ストリームで伝送する空間変調Ａを用いる。空間変調Ａとは、１ビット目の信号０，１に、２ビット目の信号を送信するＯＡＭモードを以下のように対応付ける。
０：ＯＡＭモード１
１：ＯＡＭモード−１
なお、本発明で用いる「空間変調」は、モード変調、ＯＡＭモード変調、インデックス変調、もしくはＯＡＭインデックス変調と言ってよい。
【００４６】
これにより、信号（０１）を空間変調すると、ＯＡＭモード１で信号１、ＯＡＭモード−１で無信号を送信する。信号（１１）を空間変調すると、ＯＡＭモード１で無信号、ＯＡＭモード−１で信号１を送信する。
【００４７】
図５において、送信局の信号処理部１１は、最初の４ビットの信号（０１１０）をＵＣＡ１〜ＵＣＡ４からＯＡＭモード０で送信するストリーム１〜４として生成し、５ビット目以降に空間変調Ａを用いる。５ビット目は信号０であるので、６ビット目の信号１をＵＣＡ１からＯＡＭモード１で送信するストリーム５として生成する。このとき、ＵＣＡ１からＯＡＭモード−１で送信する信号はない。よって、ＵＣＡ１からＯＡＭモード１で送信されるストリーム５は、信号（０１）を空間変調した信号となる。
【００４８】
同時に、７ビット目は信号１であるので、８ビット目の信号０をＵＣＡ１からＯＡＭモード−１で送信するストリーム６として生成する。このとき、ＵＣＡ２からＯＡＭモード１で送信する信号はない。よって、ＵＣＡ１からＯＡＭモード−１で送信するストリーム６は、信号（１０）を空間変調した信号となる。
さらに、９ビット目以降も同様であり、５ビット目から12ビット目まで２ビットずつストリーム５〜８として生成することができる。
【００４９】
受信局の信号処理部２２は、ＯＡＭモード分離処理部２１−１〜２１−４でそれぞれ分離されたＯＡＭモード０の信号として、ストリーム１〜４の混在した信号（０１１０）から、ストリーム１〜４ごとに分離し、信号（０１１０）として復調する。
【００５０】
同時に、ＯＡＭモード１の信号として、ストリーム５〜８の混在した信号（１−−１）から、ストリームごとに分離する。ここで、「−」は信号がない状態（例えば雑音レベル）を示す。よって、ストリーム５の信号１、ストリーム８の信号１を分離し、信号（０１−−−−０１）として復調する。下線は分離した実信号である（以下同様）。
【００５１】
同時に、ＯＡＭモード−１の信号として、ストリーム５〜８の混在した信号（−０１−）から、ストリームごとに分離する。よって、ストリーム６の信号０、ストリーム７の信号１を分離し、信号（−−１０１１−−）として復調する。
【００５２】
以上により、ＵＣＡ１〜ＵＣＡ４と、ＯＡＭモード０，１，−１と、空間変調Ａにより、ストリーム１〜４とストリーム５〜８で空間多重伝送された信号（０１１００１１０１１０１）を分離して復調することができる。
【００５３】
（６ストリームによる空間多重伝送例）
図６は、６ストリームによる空間多重伝送例を示す。
ここでは、ＵＣＡ１〜ＵＣＡ３と、ＯＡＭモード０，１と、偏波多重を用いる。さらに、偏波多重により２ビットを１ストリームで伝送する空間変調Ｂを用いる。空間変調Ｂとは、１ビット目の信号０，１に、２ビット目の信号を送信する偏波を以下のように対応付ける。
０：Ｖ偏波
１：Ｈ偏波
これにより、信号（０１）を空間変調すると、Ｖ偏波で信号１、Ｈ偏波で無信号を送信する。信号（１１）を空間変調すると、Ｖ偏波で無信号、Ｈ偏波で信号１を送信する。
【００５４】
図６において、送信局の信号処理部１１は、１ビット目が信号０であるので、２ビット目の信号１をＵＣＡ１からＯＡＭモード０のＶ偏波で送信するストリーム１として生成する。このとき、ＵＣＡ１からＯＡＭモード０のＨ偏波で送信する信号はない。よって、ＵＣＡ１からＯＡＭモード０のＶ偏波で送信されるストリーム１は、信号（０１）を空間変調した信号となる。
【００５５】
同時に、３ビット目は信号１であるので、４ビット目の信号０をＵＣＡ２からＯＡＭモード０のＨ偏波で送信するストリーム２として生成する。このとき、ＵＣＡ２からＯＡＭモード０のＶ偏波で送信する信号はない。よって、ＵＣＡ２からＯＡＭモード０のＨ偏波で送信されるストリーム２は、信号（１０）を空間変調した信号となる。
【００５６】
同時に、５ビット目は信号０であるので、６ビット目の信号１をＵＣＡ３からＯＡＭモード０のＶ偏波で送信するストリーム３として生成する。このとき、ＵＣＡ３からＯＡＭモード０のＨ偏波で送信する信号はない。よって、ＵＣＡ３からＯＡＭモード０のＶ偏波で送信されるストリーム３は、信号（０１）を空間変調した信号となる。
【００５７】
さらに、７ビット目以降はＯＡＭモード１を用いる他は同様であり、１ビット目から12ビット目まで２ビットずつストリーム１〜６として生成することができる。
【００５８】
受信局の信号処理部２２は、ＯＡＭモード分離処理部２１−１〜２１−４でそれぞれ分離されたＯＡＭモード０のＶ偏波の信号として、ストリーム１〜３の混在した信号（１−１）から、ストリームごとに分離する。ここで、「−」は信号がない状態（例えば雑音レベル）を示す。よって、ストリーム１の信号１、ストリーム３の信号１を分離し、信号（０１−−０１）として復調する。
【００５９】
同時に、ＯＡＭモード０のＨ偏波の信号として、ストリーム１〜３の混在した信号（−０−）から、ストリームごとに分離する。よって、ストリーム２の信号０を分離し、信号（−−１０−−）として復調する。
【００６０】
同時に、ＯＡＭモード１のＶ偏波の信号として、ストリーム４〜６の混在した信号（−−１）から、ストリームごとに分離する。よって、ストリーム６の信号１を分離し、信号（−−−−０１）として復調する。
【００６１】
同時に、ＯＡＭモード１のＨ偏波の信号として、ストリーム４〜６の混在した信号（０１−）から、ストリームごとに分離する。よって、ストリーム４の信号０、ストリーム５の信号１を分離し、信号（１０１１−−）として復調する。
【００６２】
以上により、ＵＣＡ１〜ＵＣＡ３と、ＯＡＭモード０，１と、偏波多重と、空間変調Ｂにより、ストリーム１〜６で空間多重伝送された信号（０１１００１１０１１０１）を分離して復調することができる。
【００６３】
（４ストリームによる空間多重伝送例）
図７は、４ストリームによる空間多重伝送例を示す。
ここでは、ＵＣＡ１〜ＵＣＡ４と、ＯＡＭモード１，−１と、偏波多重を用いる。さらに、ＯＡＭモードと偏波多重により３ビットを１ストリームで伝送する空間変調Ｃを用いる。空間変調Ｃとは、１，２ビット目の信号００，０１，１０，１１に、３ビット目の信号を送信するＯＡＭモードと偏波を以下のように対応付ける。
００：ＯＡＭモード１およびＶ偏波
０１：ＯＡＭモード１およびＨ偏波
１０：ＯＡＭモード−１およびＶ偏波
１１：ＯＡＭモード−１およびＨ偏波
これにより、信号（００１）を空間変調すると、ＯＡＭモード１のＶ偏波で信号１、ＯＡＭモード１のＨ偏波で無信号、ＯＡＭモード−１のＶ／Ｈ偏波で無信号を送信する。
【００６４】
図７において、送信局の信号処理部１１は、１，２ビット目が信号（０１）であるので、３ビット目の信号１をＵＣＡ１からＯＡＭモード１のＨ偏波で送信するストリーム１として生成する。このとき、ＵＣＡ１からＯＡＭモード１のＶ偏波、ＯＡＭモード−１のＶ／Ｈ偏波で送信する信号はない。
【００６５】
同時に、４，５ビット目が信号（００）であるので、６ビット目の信号１をＵＣＡ２からＯＡＭモード１のＶ偏波で送信するストリーム２として生成する。このとき、ＵＣＡ２からＯＡＭモード１のＨ偏波、ＯＡＭモード−１のＶ／Ｈ偏波で送信する信号はない。
【００６６】
さらに、７ビット目以降も同様であり、１ビット目〜12ビット目まで３ビットずつストリーム１〜４として生成することができる。
【００６７】
受信局の信号処理部２２は、ＯＡＭモード分離処理部２１−１〜２１−４でそれぞれ分離されたＯＡＭモード１のＶ偏波の信号として、ストリーム１〜４の混在した信号（−１−−）から、ストリームごとに分離する。ここで、「−」は信号がない状態（例えば雑音レベル）を示す。よって、ストリーム２の信号１を分離し、ストリーム１，３，４の信号は検出されないので、信号（−−−００１−−−−−−）として復調する。
【００６８】
同時に、ＯＡＭモード１のＨ偏波の信号として、ストリーム１〜４の混在した信号（１−−−）から、ストリームごとに分離する。よって、ストリーム１の信号１を分離し、ストリーム２，３，４の信号は検出されないので、信号（０１１−−−−−−−−−）として復調する。
【００６９】
同時に、ＯＡＭモード−１のＶ偏波の信号として、ストリーム１〜４の混在した信号（−−１１）から、ストリームごとに分離する。よって、ストリーム３の信号１、ストリーム４の信号１をそれぞれ分離し、ストリーム１，２の信号は検出されないので、信号（−−−−−−１０１１０１）として復調する。
【００７０】
同時に、ＯＡＭモード−１のＨ偏波の信号として、ストリーム１〜４の混在した信号（−−−−）から、ストリームごとに分離するが、分離される信号はない。
【００７１】
以上により、ＵＣＡ１〜ＵＣＡ４と、ＯＡＭモード１，−１と、偏波多重と、空間変調Ｃにより、ストリーム１〜４で空間多重伝送された信号（０１１００１１０１１０１）を分離して復調することができる。
【００７２】
なお、以上示した４例は、12ビットの信号を12ストリーム、８ストリーム、６ストリーム、４ストリームで空間多重伝送するパターンの一例であり、これに限定されるものではない。例えば、６ストリームの場合、ＵＣＡ１〜ＵＣＡ３と、ＯＡＭモード０，１と、偏波多重を用いた例を示したが、ＯＡＭモードは１，−１の組み合わせでもよい。また、ＵＣＡ１〜ＵＣＡ２と、ＯＡＭモード０，１，−１と、偏波多重を用いても、同様に６ストリームとして生成することができる。他のパターンもいろいろな組み合わせで構成することができる。
【００７３】
また、ＯＡＭ多重伝送技術を含む無線多重通信伝送技術は、伝送距離の増加に応じて伝播減衰が増加する。これにより、各ストリームの受信ＳＮＲが低下するため、伝送距離に応じて、多重数（ストリーム数）を減らしてその分の送信電力を振り分けることが有効である。ただし、多重数を減らしても、総伝送容量の減少を最小限に押えるために、本発明の空間変調を利用する。
【００７４】
伝送距離に応じて、多重数を12， 8，６，４にする場合は、それぞれ上記のような空間変調を適用することにより、総伝送容量の減少を押えることができる。
【００７５】
多重数12の場合は、図４のＵＣＡ１〜ＵＣＡ４と、ＯＡＭモード０，１，−１を用いて12ビットの信号を12ストリームで空間多重伝送する。
【００７６】
多重数８の場合は、図５のＵＣＡ１〜ＵＣＡ４と、ＯＡＭモード０，１，−１を用い、。さらに２ビットを１ストリームで伝送する空間変調Ａを用いることにより、12ビットの信号を８ストリームで空間多重伝送する。
【００７７】
多重数６の場合は、図６のＵＣＡ１〜ＵＣＡ３と、ＯＡＭモード０，１と、偏波多重により２ビットを１ストリームで伝送する空間変調Ｂを用いることにより、12ビットの信号を６ストリームで空間多重伝送する。
【００７８】
多重数４の場合は、図７のＵＣＡ１〜ＵＣＡ４と、ＯＡＭモード１，−１と、ＯＡＭモードと偏波多重により３ビットを１ストリームで伝送する空間変調Ｃを用いることにより、12ビットの信号を４ストリームで空間多重伝送する。
【００７９】
また、多重数を増やす場合は、ＵＣＡの数またはＯＡＭモードの数を増やすことにより対応することができる。ただし、ＵＣＡの数を増やす場合には、同一ＯＡＭモードの分離に要する信号処理量が増える。ＯＡＭモードの数を増やす場合には、ＯＡＭモード分離処理部で容易に対応することができるが、高次ＯＡＭモードの受信電力が低下する課題２がある。したがって、ＵＣＡの数とＯＡＭモードの数は、仕様に応じて最適な値を選択する必要がある。
【符号の説明】
【００８０】
１１  信号処理部
１２  ＯＡＭモード生成処理部
２１  ＯＡＭモード分離処理部
２２  信号処理部
【図１】
0006988903.tif 000002
【図２】
0006988903.tif 000003
【図３】
0006988903.tif 000004
【図４】
0006988903.tif 000005
【図５】
0006988903.tif 000006
【図６】
0006988903.tif 000007
【図７】
0006988903.tif 000008
【図８】
0006988903.tif 000009
【図９】
0006988903.tif 000010
【図１０】
0006988903.tif 000011